(57)【要約】      （修正有）【課題】簡単な構造で発光色を調節することにより、睡眠や覚醒等を効果的に促すことができる照明装置を提供する。【解決手段】光の３原色を各々発光する複数の発光素子１２Ｒ、１２Ｇ、１２Ｂから成る発光素子群１３と、発光素子群１３の各色の発光素子１２Ｒ、１２Ｇ、１２Ｂを色ごとに発光輝度を調節する輝度調節つまみ２４Ｒ，２４Ｇ，２４Ｂを備える。所望の明るさ及び発光色に設定するモード設定釦２６を備え、モード設定釦２６で設定されるモードは、睡眠時に赤色の多い赤白色に点灯させるモードと、起床時に覚醒を促す青白色に点灯するモードとを有する。モード設定釦２６によるモードは、所定の時刻に所定時間点灯するタイマー設定つまみ３４，３５により動作する。【選択図】図１
0003171258.tif 000002
【実用新案登録請求の範囲】
【請求項１】
光の３原色を各々発光する複数の発光素子から成る発光素子群と、この発光素子群の各色の発光素子を、各色ごとに発光輝度を調節する輝度調節つまみと、所望の明るさ及び発光色に設定するモード設定手段とを備え、
前記モード設定手段には、睡眠時に赤色の多い赤白色に点灯させるモードと、起床時に覚醒を促す青色の多い青白色に点灯するモードとを備えたことを特徴とする照明装置。
【請求項２】
前記モード設定手段は、所定の時刻に所定時間点灯するタイマー設定手段により設定され動作する請求項１記載の照明装置。
【請求項３】
前記発光素子は、白色発光素子を含む請求項１または２記載の照明装置。
【請求項４】
前記モード設定手段は、各モードの明るさを記憶しその明るさに対応した信号を出力する記憶部と、前記各モードを選択するモード設定釦とを備える請求項２記載の照明装置。
【考案の詳細な説明】
【技術分野】
【０００１】
この考案は、時間的に明るさや色調を変化させることが可能な照明装置に関する。
【背景技術】
【０００２】
従来より、例えば特許文献１に開示されているように、光の３原色であるＲＧＢの３色の発光ダイオード（以下、ＬＥＤと言う。）を光源として備えた照明器具が提案されている。この照明装置は、互いに発光波長が異なる複数種類の半導体発光素子を有し各半導体発光素子からの発光の混色光を発生する発光部と、発光部を支持する照明器具本体とを具備した照明器具を備え、発光部からの混色光を受光して、受光光に含まれる各半導体発光素子の発光波長の光量をそれぞれ検出する光量検出部と、光量検出部が検出した各発光波長の光量の検出値を照明器具に送信する送信部とを具備し、照明器具本体とは別体に形成された光検出装置を設けるとともに、照明器具に、送信部から送信された各発光波長の光量の検出値を受信する受信部と、受信部の受信した各発光波長の光量の検出値がそれぞれ予め設定された所定の基準値と一致するように、各半導体発光素子の光出力を個別に制御する点灯回路部とを設けた照明装置である。
【０００３】
また、睡眠状態に応じて照明の明るさを変更する照明装置として、特許文献２に開示されているものが提案されている。この照明装置は、起床時刻に合わせて睡眠中の使用者に対する照明を調光制御することによって起床時の覚醒度を促進する装置であり、設定した起床時刻に合わせて徐々に光量を上げていく照明装置である。特に、使用者の睡眠ステージを判定する判定部と、判定部によって判定された睡眠ステージに対応して、起床時刻前の照明の点灯スケジュールおよび点灯スケジュール内における時刻毎の光量を決定し、決定した点灯時間の光量に応じて調光可能な照明制御部を備えた照明装置である。
【先行技術文献】
【特許文献】
【０００４】
【特許文献１】特開２００７−２６５８１７号公報
【特許文献２】特開２００８−８６４８９号公報
【考案の概要】
【考案が解決しようとする課題】
【０００５】
上記背景技術の特許文献１は、ＬＥＤの発光色を所定の基準値に合わせる制御を行うもので、使用状態やその目的により発光色を選択したり調節することができるものではない。
【０００６】
一方、特許文献２に開示された照明装置は、照明器具の明るさを睡眠状態により変更するもので、発光色を睡眠時または覚醒時、その他の用途に合わせて最適状態に変更することができるものではない。
【０００７】
この考案は、上記背景技術の問題点に鑑みてなされたものであり、簡単な構造で発光色や明るさを調節することにより、睡眠や覚醒等を効果的に促すことができる照明装置を提供することを目的とする。
【課題を解決するための手段】
【０００８】
この考案は、光の３原色を各々発光する複数の発光素子から成る発光素子群と、この発光素子群の各色の発光素子を色ごとに発光輝度を調節する輝度調節つまみと、所望の明るさ及び発光色に設定するモード設定手段とを備え、前記モード設定手段には、睡眠時に赤色の多い赤白色に点灯させるモードと、起床時に覚醒を促す青白色に点灯するモードとを備えた照明装置である。前記モード設定手段は、所定の時刻に所定時間点灯するタイマー設定手段により設定され動作するものである。
【０００９】
また、前記発光素子は、白色発光素子を含むものである。前記モード設定手段は、各モードの明るさを記憶しその明るさに対応した信号を出力する記憶部と、前記各モードを選択するモード設定釦とを備えたものである。
【考案の効果】
【００１０】
この考案の照明装置によれば、簡単な構造で睡眠や起床に際して、その人に最適な明るさや色の光の照明とし、睡眠や起床をよりスムーズに行うことができ、快適な生活を営むことが出来る。さらに、各種生活の状況に応じて、照明の明るさを調整し、その明るさや色を所定のモードとして記憶させておくことが出来、設定したモードを任意にまたは定期的に呼び出して照明装置を作動させることが出来、容易に最適な明るさや色の照明をセットすることが出来る。
【図面の簡単な説明】
【００１１】
【図１】この考案の第一実施形態の照明装置の斜視図である。
【図２】この実施形態の照明装置の回路構成を示すブロック図である。
【図３】この発明の第二実施形態の照明装置の発光器を示す斜視図である。
【図４】第二実施形態の照明装置の制御部を示す斜視図である。
【考案を実施するための形態】
【００１２】
以下、この考案の実施形態について図面に基づいて説明する。図１、図２はこの考案の第一実施形態を示すもので、この実施形態の照明装置１０は、光源として光の３原色の赤緑青を、各々発光可能なＬＥＤである発光素子１２Ｒ，１２Ｇ，１２Ｂを一組とした多数の素子から成る発光素子群１３を有した発光器１４を備えている。発光器１４の外側には、光を拡散させる拡散板１６が配置され、発光器１４が、照明方向を規制する傘１８の内側に取り付けられている。発光素子群１３は、光の３原色ＲＧＢの各色の強度調節可能な白色光ＬＥＤ素子を用いても良い。
【００１３】
傘１８は支柱２０の先端部に角度可変に取り付けられ、支柱２０は、本体２２の一端部に立設されている。本体２２には、発光素子１２Ｒ，１２Ｇ，１２Ｂの発光輝度を調節する輝度調節つまみ２４Ｒ，２４Ｇ，２４Ｂと、全体の明るさを調節する全体調節摘み２４が前面に設けられている。
【００１４】
本体２２の上面には、モード設定ボタン２６が５つ設けられている。モード設定釦２６は、輝度調節つまみ２４Ｒ，２４Ｇ，２４Ｂ、全体調節摘み２４で調節した明るさと色を記憶させるとともに、再現させるもので、例えば、モード設定釦２６−１は、１００カンデラの９３００Ｋの白色を登録し、モード設定ボタン２６−２は、読書モードとして、特に高齢者用の８０カンデラの２７００Ｋの電球色を登録する。モード設定ボタン２６−３には、睡眠モードとして、赤白色の適度に暗い明るさに調節した値を記憶し、モード設定ボタン２６−４には、起床モードとして、青白色の明るい値を記憶させる。モード設定ボタン２６−５は予備としても良い。
【００１５】
本体２２の上面には、時刻や各種モードその他の情報を表示する液晶ディスプレイ等の表示部２８が設けられている。表示部２８の両側には、商用電源からの給電により点灯する電源スイッチ３０と、内蔵電池からの給電により点灯する非常時電源スイッチ３２が設けられている。
【００１６】
本体２２の側面には、一定時間後に点灯させたり消灯させるタイマー設定つまみ３４，３５が設けられている。タイマー設定つまみ３４は、睡眠時のお休みタイマーであり、設定した時刻から一定時間は睡眠導入用の、例えば４０カンデラの赤白色で点灯し、その後消灯させるものである。タイマー設定つまみ３５は、起床タイマーであり、起床時間を設定すると、一定時間は、覚醒を促す１００カンデラの青白色で点灯させ、その後消灯させるものである。さらに、本体２２の側面には、タイマーのオン／オフを行うタイマースイッチ３６が設けられている。
【００１７】
この実施形態の照明装置１０の回路構成は、図２に示すように、商用電源に接続された電源部４０が電源スイッチ３０によりオン／オフ可能に設けられ、電源部４０は、表示部２８、電池制御部４２、モード選択部４４、その他に給電している。電池制御部４２は、リチウムイオン電池等の充電可能な二次電池４６に接続され、二次電池４６は、非常時電源スイッチ３２に接続されている。二次電池４６は、通常使用時には電源部４０から充電され、非常時電源スイッチ３２がオンすると、各発光素子１２Ｒ，１２Ｇ，１２Ｂに給電して点灯させる。
【００１８】
タイマー設定つまみ３４，３５は、制御部４８に接続され、モード選択部４４を介して各発光素子１２Ｒ，１２Ｇ，１２Ｂを所定のモードで点灯させる。各モードでの各発光素子１２Ｒ，１２Ｇ，１２Ｂの発光輝度、発光時間等の情報は、設定により、記憶部５０に記憶されている。発光素子出力調整部５２は、各発光素子１２Ｒ，１２Ｇ，１２Ｂを発光させるための出力信号を、記憶部５０からの情報により設定する。これにより、各発光素子１２Ｒ，１２Ｇ，１２Ｂは、発光素子出力調整部５２からの信号により、各々駆動回路５４Ｒ，５４Ｂ，５４Ｇを介して所定の輝度で発光可能に設けられている。
【００１９】
この実施形態の照明装置１０は、上述の通り、モード設定釦２６により、使用者の状況や好み合わせて、所望の明るさや照明の色を選択して使用することが出来、所望の明るさや色は、輝度調節つまみ２４Ｒ，２４Ｇ，２４Ｂにより任意に調節し、記憶部５０に記憶させることができる。
【００２０】
さらに、タイマー設定つまみ３４，３５により、所定の時間に到達すると、所望の色や明るさで点灯させたり、消灯させることが出来る。これにより、特に睡眠や起床をスムーズに自然に行うことができ、生活のリズムを整えやすいものである。
【００２１】
また、例えば読書時の最低光量にモード設定ボタン２６の一つを設定して、記憶させておくことが出来、眼精疲労等を抑制することが出来る。さらに、年齢の経過とともに、視覚による認識力が劣るが、より見やすい照明光の波長状態に輝度調節つまみ２４Ｒ，２４Ｇ，２４Ｂにより調節することが出来る。一般的に高齢者は、より明るい環境で読書した方が疲れ難いと言われている。特に、加齢に伴い読書に適した照明色は、水晶体の白濁によっても影響を受けにくい赤い色にシフトした方が好ましい。このような場合も、水晶体の白濁の程度に応じて照明色を調節し設定することができる。
【００２２】
次に、この発明の照明装置の第二実施形態について、図３、図４を基にして説明する。ここで、上記実施形態と同様の部材は同一の符号を付して説明を省略する。この実施形態の照明装置６０は、天井に取り付けるシーリングライトであり、操作部や制御部は、図５に示すリモコン装置６２に設けられている。この実施形態の発光器１４の発光素子群１３は、赤色発光ＬＥＤである赤色発光素子１２Ｒと、白色発光ＬＥＤである白色発光素子１２Ｗから成り、白色発光素子１２Ｗにより主として発光し、より赤色を多く含む光にする場合に赤色発光素子１２Ｒを点灯する。従って、リモコン装置６２には、赤色発光素子１２Ｒの輝度調節つまみ２４Ｒと白色発光素子１２Ｗの輝度調節つまみ２４Ｗが設けられている。
【００２３】
この実施形態の照明装置６０の使用方法は、例えば通常時は、モード設定釦２６−１で、室内灯モードとして１００カンデラで赤色発光素子１２Ｒの出力が０とし、白色発光素子１２Ｗのみで、５０００Ｋの昼白色点灯に設定し登録しておく。モード設定釦２６−２は、食品が新鮮に見えるように赤色発光素子１２Ｒの出力を加えて１００カンデラの３５００Ｋの温白色に設定して記憶させておく。モード設定釦２６−３は、２０カンデラの赤白色に設定し登録して、非常灯モードとしておく。また、タイマー設定つまみ３４，３５を調節して、昼間はモード設定釦２６−１によるモード１が働き、夕方から夜明けまでは、モード設定釦２６−２によるモード２に切り替わるよう設定することも出来る。
【００２４】
この実施形態の照明装置６０も、モード設定釦２６により上記実施形態と同様の作用効果を有する。
【００２５】
なお、この発明の照明装置は、上記実施形態に限定されるものではなく、発光素子の数や配置は適宜設定可能なものであり、発光素子は、ＬＥＤ以外に、有機ＥＬ素子等のＥＬ素子を用いても良い。
【符号の説明】
【００２６】
１０，６０  照明装置
１２Ｒ，１２Ｇ，１２Ｂ，１２Ｗ  発光素子
１３  発光素子群
１４  発光器
２２  本体
２４  全体調節つまみ
２４Ｒ，２４Ｇ，２４Ｂ，２４Ｗ  輝度調節つまみ
２６  モード設定釦
２８  表示部
３０  電源スイッチ
３４，３５  タイマー設定つまみ
【図１】
0003171258.tif 000003
【図２】
0003171258.tif 000004
【図３】
0003171258.tif 000005
【図４】
0003171258.tif 000006